(57)【要約】【課題】解決しようとする問題点は、空気中のウイルスを効率良く不活性化することができない点である。【解決手段】霧化筐体と、該霧化筐体の対向した側壁に形成した空気送入口及び空気排出口と、該空気挿入口に装着されたファンと、該空気挿入口が形成された側壁と前記空気排出口を形成した側壁の間の霧化筐体の底板の上を霧化槽とし、前記底板に間隔を開けて形成した装着穴と、該装着穴に装着した超音波振動子と、前記霧化筐体の側壁に装着した注入口と、該注入口から注入され、前記超音波振動子を浸した消毒液体と、前記霧化筐体の前記天板に上端が固着され、下端が消毒溶剤のほぼ近傍まで前記霧化装置の間に装着された第１の仕切板と第３の仕切板と、前記第１の仕切板と第３の仕切板の間の前記霧化筐体の天板に上端が固定され、下端が前記消毒液体に浸漬された第２の仕切板と、前記底板の下部に前記超音波振動子に発振出力を印加する発振器を装着する。【選択図】図１
2012239524.tif 000002
【特許請求の範囲】
【請求項１】
霧化筐体と、該霧化筐体の対向した側壁に形成した空気送入口及び空気排出口と、該空気挿入口に装着されたファンと、該空気挿入口が形成された側壁と前記空気排出口を形成した側壁の間の霧化筐体の底板の上を霧化槽とし、前記底板に間隔を開けて形成した装着穴と、該装着穴に装着した超音波振動子と、前記霧化筐体の側壁に装着した注入口と、該注入口から注入され、前記超音波振動子を浸した消毒液体と、前記霧化筐体の前記天板に上端が固着され、下端が前記消毒溶剤のほぼ近傍まで前記霧化装置の間に装着された第１の仕切板と第３の仕切板と、前記第１の仕切板と第３の仕切板の間の前記霧化筐体の天板に上端が固定され、上部に空気通過口を形成し、下端が前記消毒液体に浸漬された第２の仕切板と、前記底板の下部に前記超音波振動子に発振出力を印加する発振器を装着してなり、該発振器からの出力で前記超音波振動子から超音波を出力することにより、前記消毒液を霧化し、前記空気送入口から前記ファンで送入された空気を前記霧化された消毒液の霧の中を通過することにより、空気中のウイルス等を霧化筐体内で不活性化して、前記空気排出口から排出することを特徴とする超音波空気清浄装置。
【請求項２】
前記第１の仕切板と第２の仕切板と第３の仕切板と前記霧化筐体の側壁の間に装着された前記超音波振動子はそれぞれ並列に少なくとも２つ装着されることを特徴とする請求項１記載の超音波空気清浄装置。
【請求項３】
前記霧化装置は前記超音波振動子とほぼ同じ径を持つ下端と、徐々に細くなった上端とを持つホーンを前記超音波振動子の上に装着することを特徴とする請求項１記載の超音波空気清浄装置。
【請求項４】
前記霧化槽にレベル計を装着することを特徴とする請求項１記載の超音波空気清浄装置。
【発明の詳細な説明】
【技術分野】
【０００１】
本発明は、消毒剤を超音波で霧化した霧を充満させた霧化筐体の内部に取り込んだ空気を通し、空気中のウイルス等を霧化筐体内で不活性化させて排出する超音波空気清浄装置に関するものである。
【背景技術】
【０００２】
従来、超音波霧化装置として、図４の筐体Ａの内部に霧化容器Ｂが構成され、この霧化容器ＢにタンクＣから霧化される液体Ｄが所定の液体面まで注入され、霧化容器Ｂの下部に超音波振動子Ｅが装着され、この超音波振動子Ｅに発振器Ｆから発振出力が印加され、筐体Ａの空気吸入口にファンＧが装着され、ほぼ垂直にパイプ部材Ｈが装着され、又、パイプ部材Ｈの上部に傾斜部材Ｊの一端がパイプ部材Ｈに固着され、他端はパイプ部材Ｈの内部に突出している。
【０００３】
このように構成された従来の超音波霧化装置では、大径の霧化粒子が除去されて霧化粒子による最適加湿が得られ、埃を除去することができ、又、噴霧する霧化粒子によって除臭や一部の空気中のウイルスを不活性化することはできるが、部屋全体の空気中のウイルスを不活性化するには非常に効率が悪いという問題があった。
【先行技術文献】
【特許文献】
【０００４】
【特許文献１】特開平９−１０６４３号公報
【発明の概要】
【発明が解決しようとする課題】
【０００５】
解決しようとする問題点は、空気中のウイルスを効率よく不活性化することができない点である。
【課題を解決するための手段】
【０００６】
本発明は、霧化筐体と、該霧化筐体の対向した側壁に形成した空気送入口及び空気排出口と、該空気挿入口に装着されたファンと、該空気挿入口が形成された側壁と前記空気排出口を形成した側壁の間の霧化筐体の底板の上を霧化槽とし、前記底板に間隔を開けて形成した装着穴と、該装着穴に装着した超音波振動子と、前記霧化筐体の側壁に装着した注入口と、該注入口から注入され、前記超音波振動子を浸した消毒液体と、前記霧化筐体の前記天板に上端が固着され、下端が前記消毒溶剤のほぼ近傍まで前記霧化装置の間に装着された第１の仕切板と第３の仕切板と、前記第１の仕切板と第３の仕切板の間の前記霧化筐体の天板に上端が固定され、上部に空気通過口を形成し、下端が前記消毒液体に浸漬された第２の仕切板と、前記底板の下部に前記超音波振動子に発振出力を印加する発振器を装着してなり、該発振器からの出力で前記超音波振動子から超音波を出力することにより、前記消毒液を霧化し、前記空気送入口から前記ファンで送入された空気を前記霧化された消毒液の霧の中を通過することにより、空気中のウイルス等を霧化筐体内で不活性化して、前記空気排出口から排出するものであり、又、排出口から排出した消毒液により筐体外のウイルスも同時に不活性化するものである。
【発明の効果】
【０００７】
本発明の超音波空気清浄装置は、空気を直接取り込んで内部の霧化粒子のなかを長時間通すことにより、空気中のウイルスを不活性化するので、排出した空気中のウイルス等は完全に不活性化され、清浄化された空気が放出され、又、排出された消毒液により筐体外の空気中のウイルス等も不活性化されるという利点がある。
【図面の簡単な説明】
【０００８】
【図１】図１は本発明の超音波空気清浄装置の断面図である。（実施例１）
【図２】図２は本発明の超音波空気清浄装置を上部から見た図である。
【図３】図３は本発明の他の実施例の超音波空気清浄装置の断面図である。（実施例２）
【図４】図４は従来の超音波霧化装置の断面図である。
【発明を実施するための形態】
【０００９】
本発明は、霧化筐体内に複数の仕切板を装着し、霧化槽に消毒溶剤を入れて、消毒溶剤を霧化して、霧化粒子の中に吸入した空気を長時間通過させることにより、取り込んだ空気中のウイルスを不活性化して空気を清浄化することを実現した。
【実施例１】
【００１０】
図１は、本発明の１実施例の超音波空気清浄装置の断面図で、霧化筐体１の側壁１ａに空気送入口２を形成し、この空気送入口２にファン３を装着し、又、空気送入口２を形成した側壁１ａと対向する側壁１ｂに空気排出口４を形成し、側壁１ａと側壁１ｂの間の底板１ｃに間隔を開けて複数の装着穴５ａ、５ｂ、５ｃが形成され、これらの装着穴５ａ、５ｂ、５ｃに超音波振動子６ａ、６ｂ、６ｃがそれぞれパッキン７ａ、７ｂ、７ｃで固定されされ、又、底板１ｃにレベルセンサ８が装着され、このレベルセンサ８によって超音波振動子６ａ、６ｂ、６ｃの上に消毒液体９が所定のレベルまで液体注入口１０から注入され、空気送入口２を形成した側壁１ａに対向して霧化筐体１の天板１ｄに第１の仕切板１１の上端１１ａが固定され、第１の仕切板１１の下端１１ｂは超音波振動子６ａの近傍で、消毒液体６の上面近傍に位置するように装着され、又、空気排出口４を形成した側壁１ｂに対向して霧化筐体１の天板１ｄに第３の仕切板１２の上端１２ａが固定され、第３の仕切板１２の下端１２ｂは超音波振動子６ｃの近傍で、消毒液体９の上面近傍に位置するように装着され、さらに、第２の仕切板１３の上端１３ａは第１の仕切板１１と第３の仕切板１２の中間の天板１ｄに固着され、第２の仕切板１３の下端１３ｂは消毒液体９に浸漬され、第２の仕切板１３の天板１ｄの近傍に空気の通過口１３ｃが形成されており、又、仕切板１１と仕切板１３の間に超音波振動子５ａが装着され、仕切板１３と仕切板１２の間に超音波振動子５ｂが装着され、仕切板１２と側壁１ｂの間に超音波振動子５ｃが装着されている。。
【００１１】
このように構成された本実施例の超音波空気洗浄機では、霧化筐体１の底板１ｃの下に装着された発振器１４から超音波振動子６ａ、６ｂ、６ｃに発振出力が印加されると、消毒液体９が霧化され、第１の仕切板１１と第２の仕切板１３の間の空間、第２の仕切板１３と第３の仕切板１２の間及び第３の仕切板１２と側壁１ｂの間に消毒液体９の霧化粒子が充満するので、ファン３を回転して空気を取り入れると、取り入れられた空気は第１の仕切板１１の下端と消毒液体９の間を通り、第１の仕切板１１と第２の仕切板１３の間を上昇し、第２の仕切板１３の天板１ｄの近傍の空気の通過口１３ｃを抜けて、第２の仕切板１３と第３の仕切板１２の間を下降し、第３の仕切板１２の下端１２ｂと消毒液体９の間を通って、第３の仕切板１２と霧化筐体１の側壁１ｂの間を上昇し、霧化筐体１の側壁１ｂの上部に形成された空気排出口４から長時間消毒液体９の霧化粒子中を通ってウイルスが不活性化した清浄な空気が外部に噴出され、又、外部に噴出された消毒液体９の霧化粒子が空気排出口４の近傍の空気に含まれたウイルスを不活性化して空気を清浄化することができる。
【００１２】
なお、上記実施例では、第１の仕切板１１と第２の仕切板１３の間の装着穴５ａ、第２の仕切板１３と第３の仕切板１２の間に装着穴５ｂ、及び第３の仕切板１２と霧化筐体１の側壁１ｂの間に装着穴５ｃを設けているが、図２の平面図で示すように、第１の仕切板１１と第２の仕切板１３の間の装着穴５ａの隣に装着穴５１ａを設け、この装置穴５１ａにパッキン７に装着した超音波振動子６１ａを設け、又、第２の仕切板１３と第３の仕切板１２の間の装着穴５ｂの隣に装着穴５１ｂを設け、この装置穴５１ｂにパッキン７に装着された超音波振動子６１ｂが設けられ、さらに、第３の仕切板１２と霧化筐体１の側壁１ｂの間の装着穴５ｃの隣に装着穴５１ｃを設け、この装置穴５１ｃにパッキン７に装着した超音波振動子６１ｃが設けられている。
【００１３】
このように構成することにより、図１の実施例において、霧化筐体１内の霧化量を増加することができる。
【００１４】
図３は本発明の他の実施例の空気清浄装置の断面図で、１は霧化筐体、２は空気送風口、３はファン、４は空気排出口、５ａ、５ｂ、５ｃは複数の装着穴、６ａ、６ｂ、６ｃは超音波振動子、７ａ、７ｂ、７ｃはパッキン、８はレベルセンサ、９は消毒液体、１０は液体注入口、１１は第１の仕切板、１２は第３の仕切板、１３は第２の仕切板で、これらの構成は上記実施例と同じであるので説明は省略するが、本実施例では、超音波振動子６ａ、６ｂ、６ｃの上にそれぞれ超音波振動子側の底部１５Ａ近傍が太く形成され、消毒液体９の液面近傍の先端部１５Ｂが細く形成され、底部１５ａの側部に消毒液体９が流通する流通穴１５Ｃが形成されたホーン１５ａ、１５ｂ、１５ｃがそれぞれ装着されている。
【００１５】
本実施例はこのように構成することにより、超音波振動子６ａ、６ｂ、６ｃでそれぞれ霧化された消毒液体粒子は第１の仕切板１１と第２の仕切板１３の間の通路、第２の仕切板１３と第３の仕切板１２の間の通路、第３の仕切板１２と霧化筐体１の側壁１ｂの間の通路にそれぞれホーン１５で大量に浮遊するので、空気の通過を遅くし、消毒液体粒子によって空気中のウイルスを不活性化することができ、又、図２に示すように装着穴５を増やすことにより、霧化量を増加することができる。
【産業上の利用可能性】
【００１６】
上記実施例では、第１の仕切板１１と第２の仕切板１３の間の通路、第２の仕切板１３と第３の仕切板１２の間の通路、第３の仕切板１２と霧化筐体１の側壁１ｂの間の通路にそれぞれ装着穴５を増加することにより霧化量を増加するようにしたが、装着穴５及びパッキン７，超音波振動子６を複数個装着することによりさらに霧化量を増加でき、さらに、仕切板を増やすことにより、霧化筐体１の中に取り入れた空気を長く消毒液体粒子の中を通過させることができ、それに応じてファン３の回転数を上げて、風量を増加することがてき、又、上記実施例では、空気の清浄をするように構成したが、消毒液体の代わりに消臭溶液を使用すれば、霧化筐体を通過する空気の消臭をすることができる。
【符号の説明】
【００１７】
１                  霧化筐体
２                  空気送風口
３                  ファン
４                  空気排出口
５ａ、５ｂ、５ｃ    複数の装着穴
６ａ、６ｂ、６ｃ    超音波振動子
７ａ、７ｂ、７ｃ    パッキン
８                  レベルセンサ
９                  消毒液体
１０                液体注入口
１１                第１の仕切板
１２                第３の仕切板
１３                第２の仕切板
１４                発振器
１５                ホーン
【図１】
2012239524.tif 000003
【図２】
2012239524.tif 000004
【図３】
2012239524.tif 000005
【図４】
2012239524.tif 000006